(57)【要約】  本願は、画像情報を表示するための方法と装置を提供する。方法は、端末の回転角度を検出するために構成されているセンサにより報告される回転角度を取得することと、センサに基づいて、端末の回転の回転持続時間を取得することと、報告される回転角度は、予め設定された閾値に到達するかどうかを判定することと、回転持続時間は、予め設定された持続時間よりも短いかどうかを判定することと、報告される回転角度は、予め設定された閾値に到達するとき、および回転持続時間は、予め設定された持続時間よりも短いときは、画像情報を表示することを備えている。本願の実施形態を適用すると、画像情報は、ユーザにより端末を回転するだけで、自動的に表示可能である。ユーザは、画像情報を表示するためにボタンをクリックする必要がないので、操作時間は削減可能であり、それにより、端末は画像情報を迅速に表示し、ユーザが、間違ったボタンをクリックする状況も回避可能であり、それにより、画像情報の正確な表示を達成可能である。【選択図】図１
2020502622.tif 000002
【特許請求の範囲】
【請求項１】
画像情報を表示するための方法であって、
端末の回転角度を検出するために構成されているセンサにより報告される回転角度を取得することと、
前記センサに基づいて、前記端末の回転持続時間を取得することと、
前記報告される回転角度は、予め設定された閾値に到達するかどうかを判定することと、
前記回転持続時間は、予め設定された持続時間よりも短いかどうかを判定することと、
前記報告される回転角度は、前記予め設定された閾値に到達するとき、および前記回転持続時間は、前記予め設定された持続時間よりも短いときは、画像情報を表示すること、を備えていることを特徴とする方法。
【請求項２】
端末の前記回転角度を検出するために構成されているセンサにより報告される回転角度を前記取得することは、
ユーザが、予め設定された、前記画像情報が含まれているＡＰＰに首尾よく入ったときは、前記端末の前記回転角度を検出するために構成されている前記センサにより報告される前記回転角度を取得することを備えていることを特徴とする請求項１に記載の方法。
【請求項３】
前記センサに基づいて、前記端末の前記回転の回転持続時間を前記取得することは、
前記センサにより検出されるように、前記端末が回転を開始する第１時間を取得することと、
前記端末の前記回転角度が、予め設定された閾値に到達する第２時間を取得することと、
前記第１時間を前記第２時間から引くことによる時間差を、前記回転持続時間と判定すること、を備えていることを特徴とする請求項１に記載の方法。
【請求項４】
前記予め設定された閾値は角度範囲であることを特徴とする請求項１に記載の方法。
【請求項５】
画像情報を前記表示する前に、前記方法は更に、
距離センサにより検出される、前記端末と近傍の対象物との間の距離は、予め設定された距離未満であるかどうかを判定することを備え、
画像情報を前記表示することは、
前記距離が、前記予め設定された距離未満のときは、前記画像情報を表示することを備えていることを特徴とする請求項１に記載の方法。
【請求項６】
画像情報を前記表示する前に、
前記方法は更に、
前記端末のユーザの指紋は正しいかどうかを判定することを備え、
画像情報を前記表示することは、
前記ユーザの指紋が正しいときは、前記画像情報を表示することを備えていることを特徴とする請求項１に記載の方法。
【請求項７】
前記方法は更に、
前記ユーザの指紋が正しくないときは、前記端末を操作不可ロック状態にすることを更に備えていることを特徴とする請求項６に記載の方法。
【請求項８】
前記端末を操作不可ロック状態にした後に、前記方法は更に、
前記端末の位置情報を取得して、前記位置情報をアップロードすることを備えていることを特徴とする請求項７に記載の方法。
【請求項９】
画像情報を表示するための装置であって、
端末の回転角度を検出するために構成されているセンサにより報告される回転角度を取得するように構成されている第１取得ユニットと、
前記センサに基づいて、前記端末の回転の回転持続時間を取得するように構成されている第２取得ユニットと、
前記報告される回転角度は、予め設定された閾値に到達するかどうかを判定するように構成されている第１判定ユニットと、
前記回転持続時間は、予め設定された持続時間よりも短いかどうかを判定するように構成されている第２判定ユニットと、
前記報告される回転角度は、前記予め設定された閾値に到達するとき、および前記回転持続時間は、前記予め設定された持続時間よりも短いときは、画像情報を表示するように構成されている表示ユニットを備えていることを特徴とする装置。
【請求項１０】
前記第１取得ユニットは、
ユーザが、予め設定された、前記画像情報が含まれているＡＰＰに首尾よく入ったときは、前記端末の前記回転角度を検出するために構成されている前記センサにより報告される前記回転角度を取得するように構成されている第１取得サブユニットを備えていることを特徴とする請求項９に記載の装置。
【請求項１１】
前記第２取得ユニットは、
前記センサにより検出されるように、前記端末が回転を開始する第１時間を取得するように構成されている第２取得サブユニットと、
前記端末の前記回転角度が、予め設定された閾値に到達する第２時間を取得するように構成されている第３取得サブユニットと、
前記第１時間を前記第２時間から引くことによる時間差を、前記回転持続時間として判定するように構成されている判定サブユニットを備えていることを特徴とする請求項９に記載の装置。
【請求項１２】
前記予め設定された閾値は角度範囲であることを特徴とする請求項９に記載の装置。
【請求項１３】
前記表示ユニットは、
前記報告される回転角度は、前記予め設定された閾値に到達するとき、および前記回転持続時間は、前記予め設定された持続時間よりも短いときは、距離センサにより検出される、前記端末と近傍の対象物との間の距離は、予め設定された距離未満であるかどうかを判定するように構成されている第１表示サブユニットと、
前記距離が、前記予め設定された距離未満であるときは、前記画像情報を表示するように構成されている第２表示サブユニットを備えていることを特徴とする請求項９に記載の装置。
【請求項１４】
前記表示ユニットは、
前記報告される回転角度は、前記予め設定された閾値に到達するとき、および前記回転持続時間は、前記予め設定された持続時間よりも短いときは、前記端末のユーザの指紋は正しいかどうかを判定するように構成されている第１表示サブユニットと、
前記ユーザの指紋が正しいときは、前記画像情報を表示するように構成されている第２表示サブユニットを備えていることを特徴とする請求項９に記載の装置。
【請求項１５】
前記装置は更に、
前記ユーザの指紋が正しいときは、前記端末を操作不可ロック状態にするように構成されているロッキングサブユニットを備えていることを特徴とする請求項１４に記載の装置。
【請求項１６】
前記ロッキングサブユニットの後に、前記装置は更に、
前記端末の位置情報を取得して、前記位置情報をアップロードするように構成されているアップロードサブユニットを備えていることを特徴とする請求項７に記載の装置。
【発明の詳細な説明】
【技術分野】
【０００１】
本願は、コンピュータ技術の分野に関し、特には、画像情報を表示するための方法と装置に関する。
【背景技術】
【０００２】
ユーザが、アプリケーションにおいて、画像情報を表示するためにページを開きたいと所望するとき、ユーザは、典型的には、そのページに対応するボタンをクリックするなど、ある操作を実行する必要がある。
【０００３】
通常の支払のシナリオにおいては、ユーザがアリペイ（Ａｌｉｐａｙ）を使用して支払をするとき、ユーザは、支払のためのＱＲコード（登録商標）を受取人に表示する必要がある。受取人は、バーコードスキャナを使用して、表示されたＱＲコードをスキャンすることにより支払を受取可能である。ユーザは、支払の間、支払ＱＲコードのページを開く必要があり、下記のステップを、支払プロセス全体の間に完了する必要がある。
第１に、携帯電話において支払ＡＰＰを開くこと、
第２に、支払ＡＰＰインタフェースにおいて、「支払」ボタンをクリックして、ＱＲコードページに切り替わること、
第３に、携帯電話を回転して、携帯電話に表示されたＱＲコードを受取人に示すこと。
【０００４】
上述したように、ユーザは、支払を完了するためには、少なくとも３つの動作を実行する必要があり、従って、端末により画像情報を表示するプロセスは相対的に遅い。
【発明の概要】
【０００５】
本願は、現在の技術における、端末により画像情報を表示するプロセスは相対的に遅いという問題を解決するために、画像情報を表示するための方法と装置を提供する。
【０００６】
本願の実施形態は、画像情報を表示するための方法を提供し、方法は、
端末の回転角度を検出するために構成されているセンサにより報告される回転角度を取得することと、
センサに基づいて、端末の回転の回転持続時間を取得することと、
報告される回転角度は、予め設定された閾値に到達するかどうかを判定することと、
回転持続時間は、予め設定された持続時間よりも短いかどうかを判定することと、
報告される回転角度は、予め設定された閾値に到達するとき、および回転持続時間は、予め設定された持続時間よりも短いときは、画像情報を表示すること、を備えている。
【０００７】
オプションとして、端末の回転角度を検出するために構成されているセンサにより報告される回転角度を取得することは、
ユーザが、予め設定された、画像情報が含まれているＡＰＰに首尾よく入ったときは、端末の回転角度を検出するために構成されているセンサにより報告される回転角度を取得することを備えている。
【０００８】
オプションとして、センサに基づいて、端末の回転の回転持続時間を取得することは、
センサにより検出されるように、端末が回転を開始する第１時間を取得することと、
端末の回転角度が、予め設定された閾値に到達する第２時間を取得することと、
第１時間を第２時間から引くことによる時間差を、回転持続時間と判定すること、を備えている。
【０００９】
オプションとして、予め設定された閾値は角度範囲である。
【００１０】
オプションとして、画像情報を表示する前に、方法は更に、
距離センサにより検出される、端末と近傍の対象物との間の距離は、予め設定された距離未満であるかどうかを判定することを備え、
画像情報を表示することは、
距離が、予め設定された距離未満のときは、画像情報を表示することを備えている。
【００１１】
オプションとして、画像情報を表示する前に、方法は更に、
端末のユーザの指紋は正しいかどうかを判定することを備え、
画像情報を表示することは、
ユーザの指紋が正しいときは、画像情報を表示することを備えている。
【００１２】
オプションとして、方法は更に、
ユーザの指紋が正しくないときは、端末を操作不可ロック状態にすることを備えている。
【００１３】
オプションとして、端末を操作不可ロック状態にした後、方法は更に、
端末の位置情報を取得して、位置情報をアップロードすることを備えている。
【００１４】
本願の実施形態は、画像情報を表示するための装置を提供し、装置は、
端末の回転角度を検出するために構成されているセンサにより報告される回転角度を取得するように構成されている第１取得ユニットと、
センサに基づいて、端末の回転の回転持続時間を取得するように構成されている第２取得ユニットと、
報告される回転角度は、予め設定された閾値に到達するかどうかを判定するように構成されている第１判定ユニットと、
回転持続時間は、予め設定された持続時間よりも短いかどうかを判定するように構成されている第２判定ユニットと、
報告される回転角度は、予め設定された閾値に到達するとき、および回転持続時間は、予め設定された持続時間よりも短いときは、画像情報を表示するように構成されている表示ユニットを備えている。
【００１５】
オプションとして、第１取得ユニットは、
ユーザが、予め設定された、画像情報が含まれているＡＰＰに首尾よく入ったときは、端末の回転角度を検出するために構成されているセンサにより報告される回転角度を取得するように構成されている第１取得サブユニットを備えている。
【００１６】
オプションとして、第２取得ユニットは、
センサにより検出されるように、端末が回転を開始する第１時間を取得するように構成されている第２取得サブユニットと、
端末の回転角度が、予め設定された閾値に到達する第２時間を取得するように構成されている第３取得サブユニットと、
第１時間を第２時間から引くことによる時間差を、回転持続時間と判定するように構成されている判定サブユニットを備えている。
【００１７】
オプションとして、予め設定された閾値は角度範囲である。
【００１８】
オプションとして、表示ユニットは、
報告される回転角度は、予め設定された閾値に到達するとき、および回転持続時間は、予め設定された持続時間よりも短いときは、距離センサにより検出される、端末と近傍の対象物との間の距離は、予め設定された距離未満であるかどうかを判定するように構成されている第１表示サブユニットと、
距離が、予め設定された距離未満のときは、画像情報を表示するように構成されている第２表示サブユニットを備えている。
【００１９】
オプションとして、表示ユニットは、
報告される回転角度は、予め設定された閾値に到達するとき、および回転持続時間は、予め設定された持続時間よりも短いときは、端末のユーザの指紋は正しいかどうかを判定するように構成されている第１表示サブユニットと、
ユーザの指紋が正しいときは、画像情報を表示するように構成されている第２表示サブユニットを備えている。
【００２０】
オプションとして、装置は更に、
ユーザの指紋が正しくないときは、端末を操作不可ロック状態にするように構成されているロッキングサブユニットを備えている。
【００２１】
オプションとして、ロッキングサブユニットの後に、装置は更に、
端末の位置情報を取得して、位置情報をアップロードするように構成されているアップロードサブユニットを備えている。
【００２２】
本願の実施形態においては、端末の回転角度は、予め設定された閾値に到達するとき、および回転持続時間は、予め設定された持続時間よりも短いときは、画像情報を、ユーザが更なる操作を実行する必要なく、直接表示可能である。そのように、画像情報は、ユーザにより端末を回転するだけで、自動的に表示可能である。ユーザは、画像情報を表示するためにボタンをクリックする必要がないので、操作時間は削減されて、端末が画像情報を迅速に表示することを可能にする。更に、ユーザが、間違ったボタンをクリックすることを防止可能であり、それにより、画像情報の正しい表示を達成可能である。
【図面の簡単な説明】
【００２３】
【図１】本願の幾つかの実施形態に係る、画像情報を表示するための方法のフローチャートである。
【００２４】
【図２】本願の幾つかの実施形態に係る、回転前の端末の模式図である。
【００２５】
【図３】本願の幾つかの実施形態に係る、Ｙ軸の回りの回転後の端末の模式図である。
【００２６】
【図４】本願の幾つかの実施形態に係る、Ｘ軸の回りの回転後の端末の模式図である。
【００２７】
【図５】本願の幾つかの実施形態に係る、支払ＡＰＰのホームページの模式図である。
【００２８】
【図６】本願に係る、画像情報を表示するための装置が配置された装置のハードウェアの模式構造図である。
【００２９】
【図７】本願の幾つかの実施形態に係る、画像情報を表示するための装置のモジュールの模式図である。
【発明を実施するための形態】
【００３０】
例としての実施形態を下記に詳細に記述し、実施形態の例を付随する図面に例示する。下記の記述が付随する図面に関係するときは、異なる図面における同一の数字は、他に示されない限り、同一または類似要素を表わしている。下記の例としての実施形態に記述される実現方法は、本願と整合するすべての実現方法を表してはいない。逆に、それらは、添付される請求項において詳細に記述されるように、本願の幾つかの態様と整合する装置と方法の単なる例に過ぎない。
【００３１】
本願で使用される用語は、特別な実施形態を記述する目的のためのみであり、本願を制限するものではない。本願、および添付される請求項において使用されている単数形の「ある、１つの（不定冠詞）」、「その（定冠詞）」、および「前記」は、文脈において、他の意味を有すると明確に示されない限り、複数形も含むことが意図されている。ここにおいて使用される用語「および／または」、１つ以上の関連付けられている列挙される項目の如何なる、またはすべての組み合わせを指しているということは理解されるべきである。
【００３２】
第１、第２、第３などのような用語は、本願においては、種々の情報を記述するために使用できるが、情報はこれらの用語に制限されるべきではないということも理解されるべきである。これらの用語は、同じタイプの情報を、他の情報から区別するためにのみ使用されている。例えば、本願の範囲を逸脱することなく、第１情報は、第２情報と称することができ、同様に、第２情報もまた、第１情報と称することができる。文脈によっては、ここで使用されている用語「もし〜の場合」は、「〜のとき」または「〜の時点で」または「〜と判定することに応答して」と解釈できる。
【００３３】
本願の実施形態を、画像情報を表示するために適用可能な適用シナリオを紹介する。
【００３４】
上記の支払シナリオにおいては、ユーザが支払のためにＱＲコードを表示する必要があるとき、ユーザは、単に携帯電話を回転するだけで、支払のためにＱＲコード情報を自動的に表示可能である。そのように、ユーザは、ＱＲコード情報を表示するためにボタンをクリックする必要がないので、操作時間は削減可能で、端末がＱＲコード情報を迅速に表示することを可能にする。更に、ユーザが、間違ったボタンをクリックすることを防止可能であり、それにより、ＱＲコード情報の正しい表示を達成可能である。
【００３５】
インスタントメッセージングＡＰＰのソーシャルネットワーキングのシナリオにおいては、ＱＲコードをスキャンすることにより、友達をインスタントメッセージングＡＰＰに追加可能である。ユーザが、友達を追加するためにＱＲコードを表示することが必要なとき、ユーザは、単に携帯電話を回転するだけで、ユーザに対応するＱＲコード情報を自動的に表示可能である。友達は、表示されたＱＲコードをスキャンして、インスタントメッセージングＡＰＰへの友達の追加を完了可能である。そのように、ユーザは、ＱＲコード情報を表示するためにボタンをクリックする必要がないので、操作時間は削減可能で、端末がＱＲコード情報を迅速に表示することを可能にする。更に、ユーザが、間違ったボタンをクリックすることを防止可能であり、それにより、ＱＲコード情報の正しい表示を達成可能である。
【００３６】
本願の実施形態はまた、電子ビジネスカード、住所氏名録などの交換のようなシナリオにおいても適用可能であり、つまりその場合はすべて、ユーザは、画像情報を自動的に表示するためには、単に端末を回転することだけが必要である。
【００３７】
例としての適用においては、画像情報は、ＱＲコード、バーコードなどのような画像において表示される情報であってよい。
【００３８】
図１は、本願の幾つかの実施形態に係る、画像情報を表示するための方法のフローチャートである。方法は、下記のステップを備えている。
【００３９】
ステップ１１０：端末の回転角度を検出するために構成されているセンサにより報告される回転角度を取得する。
【００４０】
本実施形態においては、端末は、タブレットコンピュータ、スマートフォン、ハンドヘルドコンピュータ、携帯情報端末（「ＰＤＡ」）、または、任意の他の有線または無線のプロセッサにより駆動される装置のような、ハードウェアであるクライアント装置であってよい。
【００４１】
端末には、端末の回転角度を検出するために構成されているセンサが設置されている。端末の回転角度を検出するために構成されているセンサは、角速度センサ、運動姿勢センサなどを備えることが可能である。
【００４２】
動作の間、センサは、端末の回転角度を連続的に検出可能であり、検出される回転角度を報告可能である。
【００４３】
例えば、ステップ１１０は、
端末の回転角度を検出するために構成されているセンサにより報告される、予め設定された軸に関しての回転角度を取得することを備えることが可能である。
【００４４】
本実施形態においては、実際の空間面において、予め設定された軸は、任意の方向の軸であってよい。
【００４５】
予め設定された軸であるＸ軸を、下記の記述における例として使用する。
【００４６】
ステップ２１０：端末の回転角度を検出するために構成されているセンサにより報告される、Ｘ軸に関しての回転角度を取得する。
【００４７】
ユーザが、携帯電話をＸ軸の回りに回転すると、図２と図４に示されているように、携帯電話は表側（表示画面を有する側）から裏側にひっくり返される。従って、Ｘ軸に関して取得される回転角度は１８０°である。
【００４８】
同様に、予め設定された軸であるＹ軸を、下記の記述における例として使用する。
【００４９】
ステップ２１０：端末の回転角度を検出するために構成されているセンサにより報告される、Ｙ軸に関しての回転角度を取得する。
【００５０】
ユーザが、携帯電話をＹ軸の回りに回転すると、図２と図３に示されているように、携帯電話はこのときも表側（表示画面を有する側）から裏側にひっくり返される。従って、Ｙ軸に関して取得される回転角度は１８０°である。
【００５１】
予め設定された軸は、複数の軸であってよく、従って、取得される回転角度もまた、複数の軸の周りの回転角度であってよいということは言及されるべきである。例えば、予め設定された軸は、Ｘ軸とＹ軸である。
【００５２】
本実施形態においては、端末は、アップロードされる回転角度を処理でき、アンドロイドシステム、ＩＯＳシステム、ウィンドウズ（登録商標）フォンなどのような、オペレーティングシステムを介して、後続するステップを実行できる。つまり、本実施形態における実行実体は、端末のオペレーティングシステムであることが可能である。
【００５３】
幾つかの他の実施形態においては、端末は、アップロードされた回転角度を処理でき、支払ＡＰＰなどのような、第３者ＡＰＰを介して、後続するステップを実行できる。つまり、実施形態における実行実体は、端末の第３者ＡＰＰであることが可能である。
【００５４】
ステップ１１０は、
ユーザが、予め設定されたＡＰＰに首尾よく入ったときは、端末の回転角度を検出するために構成されているセンサにより報告される回転角度を取得することを備えることが可能である。
【００５５】
本実施形態においては、画像情報を、予め設定されたＡＰＰに含むことが可能である。
【００５６】
図５に示されている支払ＡＰＰのホームページで、ユーザが支払ＡＰＰのホームページに首尾よく入ったときは、端末の回転角度を検出するために構成されているセンサにより報告される回転角度が取得される。端末は、後続のステップを支払ＡＰＰを通して実行するので、後続のステップにおける、報告される回転角度と回転持続時間を取得するための許可を含んでいる関連する許可は、支払ＡＰＰに入った後のみに取得可能である。
【００５７】
本実施形態においては、端末は、第３者ＡＰＰによる制御を通して画像情報を表示するので、従って、予め設定されたＡＰＰを、ステップ１１０と後続のステップを実行可能な前に、まず開く必要がある。
【００５８】
ステップ１２０：センサに基づいて、端末の回転の回転持続時間を取得する。
【００５９】
本実施形態においては、センサに基づいて、端末の回転の回転持続時間を取得することは、例えば、下記のステップを含むことが可能である。
【００６０】
Ａ１：センサにより検出されるように、端末が回転を開始する第１時間を取得する。
【００６１】
典型的には、端末が回転を開始する時点では、回転はセンサにより検出され、センサは開始信号を返して、端末に、報告される回転角度を受信する準備をするように通知する。従って、センサにより返される開始信号が受信される時間が第１時間である。
【００６２】
このセンサと、端末の回転角度を検出するために構成されているセンサは同じであることが可能である。
【００６３】
Ａ２：端末の回転角度が、予め設定された閾値に到達する第２時間を取得する。
【００６４】
Ａ３：第１時間を第２時間から引くことによる時間差を、回転持続時間と判定する。
【００６５】
例えば、ユーザが携帯電話の回転を開始する第１時間は、１３時１２分３０秒の後の１０ミリ秒である。
携帯電話の回転角度が１５０°（予め設定された閾値）に到達する第２時間は、１３時１２分３０秒の後の８００ミリ秒である。
計算される時間差は７９０ミリ秒であり、つまり、０．７９秒であり、従って、端末の回転持続時間は０．７９秒である。
【００６６】
上記に加えて、幾つかの他の実施形態においては、センサに基づいて、端末の回転持続時間を取得するステップ１２０は、例えば、下記のステップを備えることが可能である。
【００６７】
Ｂ１：センサにより検出されるように、端末が回転を開始する第１時間を取得すること。
【００６８】
幾つかの実施形態においては、端末が回転を開始する時点で、センサは動作を開始して、開始信号を返して、端末に、検出が開始され、端末は、報告される回転角度を受信する準備をする必要があることを通知する。従って、センサにより返される開始信号が受信される時間が第１時間である。
【００６９】
このセンサと、端末の回転角度を検出するために構成されているセンサは同じセンサであることが可能である。
【００７０】
Ｂ２：センサが、端末が回転を停止したことを検出する第２時間を取得する。
【００７１】
同様に、端末が回転を停止すると、センサは動作を停止して、停止信号を返して、端末に、検出が停止されたことを通知する。従って、センサにより返される停止信号が受信される時間が第２時間である。
【００７２】
このセンサと、端末の回転角度を検出するために構成されているセンサは同じセンサであることが可能である。
【００７３】
Ｂ３：第１時間を第２時間から引くことによる時間差を、回転持続時間と判定する。
【００７４】
例えば、ユーザが携帯電話の回転を開始する第１時間は、１３時１２分３０秒の後の１０ミリ秒である。
ユーザが携帯電話の回転を停止する第２時間は、１３時１２分３０秒の後の８００ミリ秒である。
計算される時間差は７９０ミリ秒であり、つまり、０．７９秒であり、従って、端末の回転持続時間は０．７９秒である。
【００７５】
ステップ１３０：報告される回転角度は、予め設定された閾値に到達するかどうかを判定する。
【００７６】
本実施形態においては、端末の回転角度を検出するために構成されているセンサにより報告される回転角度が取得された後、報告される回転角度は、予め設定された閾値に到達するかどうかを判定する必要がある。
【００７７】
予め設定された閾値は、手動で予め設定された経験値であることが可能である。
【００７８】
例えば、報告される回転角度は１２０°（予め設定された持続時間）に到達するかどうかが判定される。
【００７９】
ステップ１４０：回転持続時間は、予め設定された持続時間よりも短いかどうかを判定する。
【００８０】
本実施形態においては、端末の回転の回転持続時間を取得した後、回転持続時間は、予め設定された持続時間よりも短いかどうかを判定する必要がある。
【００８１】
予め設定された持続時間は、手動で予め設定された経験値であることが可能である。
【００８２】
例えば、回転持続時間は１秒（つまり、予め設定された持続時間）よりも短いかどうかが判定される。
【００８３】
ステップ１５０：報告される回転角度は、予め設定された閾値に到達するとき、および回転持続時間は、予め設定された持続時間よりも短いときは、画像情報を表示する。
【００８４】
本実施形態においては、報告される回転角度は、予め設定された閾値に到達するとき、および回転持続時間は、予め設定された持続時間よりも短いときは、画像情報を表示可能である。
【００８５】
上記のように、画像情報は、ＱＲコードやバーコードのような画像において表示される情報であってよい。
【００８６】
従って、報告される回転角度は、予め設定された閾値に到達しない場合、または、回転持続時間は、予め設定された持続時間よりも短くない場合、無効な操作と判断可能であり、後続のステップは、実行する必要はない。
【００８７】
上記の実施形態から、端末の回転角度は、予め設定された閾値に到達するとき、および回転持続時間は、予め設定された持続時間よりも短いときは、画像情報を、ユーザが更なる操作をする必要なく、直接表示可能であるということが分かる。そのように、画像情報は、ユーザにより端末を回転するだけで、自動的に表示可能である。ユーザは、画像情報を表示するためにボタンをクリックする必要がないので、操作時間は削減されて、端末が画像情報を迅速に表示することを可能にする。更に、ユーザが、間違ったボタンをクリックすることを防止可能であり、それにより、画像情報の正しい表示を達成可能である。
【００８８】
例としての適用においては、予め設定された閾値が、角度値としてのみ設定された場合、回転角度はまた、ユーザが端末を他の行動のために使用するときにも、予め設定された閾値に到達し得る。
【００８９】
上記の問題を解決するために、本願の他の幾つかの実施形態においては、予め設定された閾値は、１２０°から１８０°のような角度範囲であってよい。
【００９０】
言い換えれば、報告される回転角度が、角度範囲内の場合は、予め設定された閾値に到達したことを示し、逆に、報告される回転角度が角度範囲より小さい、または角度範囲を超えている場合は、予め設定された閾値に到達していないことを示している。
【００９１】
幾つかの実施形態においては、予め設定された角度の合理的な範囲を設定することにより、ユーザが、他の行動を実行しながら、予め設定された閾値に到達するための回転角度を間違って誘発することを防止可能である。
【００９２】
この実施形態においては支払が関連しているので、ユーザのお金の安全性も考慮されるべきである。従って、安全性に関して、幾つかの制約を課すことができる。
【００９３】
本願の幾つかの実施形態においては、画像情報を表示する前に、方法は更に、
距離センサにより検出される、端末と近傍の対象物との間の距離は、予め設定された距離未満であるかどうかを判定することを備えることができ、
従って、画像情報を表示することは、
距離が、予め設定された距離未満のときは、画像情報を表示することを備えている。
【００９４】
本実施形態においては、端末には距離センサが設置され、距離センサは、端末と近傍の対象物との間の距離を検出可能である（例えば、コードスキャン装置）。
【００９５】
例としての適用シナリオにおいては、ユーザが手動で、画像情報を表示する操作を誘発した後、実際の情報交換に対する要請が必ずある。言い換えれば、誘発された画像表示状態の間、ユーザは基本的には、端末をコードスキャン装置以外の対象物の近くには置かない。従って、誤判断が起こる可能性は実際にはない。たとえ誤判断が起きても、端末が、人体または壁などの対象物の近くになる結果として、対象物は、端末画面の前面の近くになり、その画面を塞ぎ、情報画像の安全性に影響を与えない。従って、画像情報は他人には見られず、支払の安全性を向上可能である。
【００９６】
本願の幾つかの他の実施形態においては、画像情報を表示する前に、方法は更に、
端末のユーザの指紋は正しいかどうかを判定することを備えることができ、
従って、画像情報を表示することは、
ユーザの指紋が正しいときは、画像情報を表示することを備えている。
【００９７】
本実施形態においては、ユーザが端末を回転するとき、ユーザは、端末の指紋ボタンを指で押さなければならない。
【００９８】
ユーザの指紋が正しいとき、それは、この時点で端末を回転している人物は、端末の所有者であることを示しており、画像情報を表示可能である。
【００９９】
本実施形態においては、ユーザの指紋を使用することにより、端末を回転するユーザは、端末の所有者であることが確実になり、それにより、支払の安全性を向上し、端末が他人により使用された場合に、所有者の損失を防止する。
【０１００】
本願の幾つかの他の実施形態においては、方法は更に、
ユーザの指紋が正しくないときは、端末を操作不可ロック状態にすることを備えている。
【０１０１】
本実施形態においては、ユーザの指紋が正しくないときは、それは、端末が盗まれた可能性があることを示している。潜在的リスク（例えば、住所氏名録における接触が詐欺である）を回避するために、端末をロック可能である。ロック状態では、端末は操作不可であり、例えば、端末の電源を入れることは可能でない。
【０１０２】
本願の幾つかの他の実施形態においては、端末を操作不可ロック状態にした後、方法は更に、
端末の位置情報を取得して、位置情報をアップロードすることを備えている。
【０１０３】
本実施形態においては、位置情報は、端末に設置されている測位装置により記録でき、地理的位置の座標情報を表わしている。一般の測位装置は、米国ＧＰＳ衛星ナビゲーションシステム、欧州ガリレオ衛星ナビゲーションシステム、ロシアＧＬＯＮＡＳＳ衛星ナビゲーションシステム、中国「Ｂｅｉｄｏｕ（北斗）」衛星ナビゲーションシステム、または類似のシステムの組み合わせを使用できる。このタイプの座標情報はまた、モバイル測位とも称せられている。更に、報告される位置情報は、典型的には、報告のタイムスタンプを含んでおり、タイムスタンプは、測位装置が地理的位置を判定したときの時間であることが可能である。
【０１０４】
位置情報は、端末信号の特性に基づく変換を通して、ネットワーク装置から得ることが可能である。例えば、ネットワークオペレータは、基地局カバレッジ原則を使用して、端末信号を使用する、基地局測位計算を通して位置情報を得る。後者の測位計算においては、端末は典型的には、異なる基地局からのダウンリンクパイロット信号を測定して、異なる基地局からのダウンリンクパイロットのＴＯＡ（Ｔｉｍｅ  ｏｆ  Ａｒｒｉｖａｌ（到着時間）またはＴＤＯＡ（Ｔｉｍｅ  Ｄｉｆｆｅｒｅｎｃｅ  ｏｆ  Ａｒｒｉｖａｌ（到着時間差））を得る。測定結果に従って、および基地局の座標と組み合わせて、端末の位置を計算するために、三角公式推定アルゴリズムが典型的に使用される。例としての位置推定アルゴリズムに対しては、複数（３以上）の基地局の測位を考慮する必要がある。現在の技術による多くのアルゴリズムがあり、それらは複雑である。一般的に言えば、移動局により測定される基地局の数が多いほど、測定の精度は高く、測位性能におけるより大きな向上となる。
【０１０５】
加えて、位置情報はまた、基地局支援測位と、端末における測位装置の共同測位により得られる、相対的に精度のより位置であることが可能である。
【０１０６】
本実施形態においては、端末を操作不可ロック状態にした後、端末の位置情報を、端末の製造者により提供されるサーバ、端末のオペレーティングシステムにより提供されるサーバ、または支払ＡＰＰのサーバにアップロード可能である。そのように、ユーザは、盗まれた端末を探す支援を受けることが可能である。
【０１０７】
画像情報を表示するための、上記の方法実施形態に対応して、本願は更に、画像情報を表示するための装置の実施形態を提供する。
【０１０８】
本願に係る、画像情報を表示するための装置の実施形態は、端末上で適用可能である。装置実施形態は、ソフトウェア、ハードウェア、またはソフトウェアとハードウェアの組み合わせにより実現可能である。ソフトウェアによる実現を例に取ると、論理の意味における装置は、装置のプロセッサにより形成され、装置は、不揮発性ストレージにおける対応するコンピュータプログラム命令を、メモリに読み込んで位置される。ハードウェア層から、図６は、本願に係る、画像情報を表示するための装置が配置された装置のハードウェアの模式構造図である。図６に示されているプロセッサ、ネットワークインタフェース、メモリ、および不揮発性ストレージに加えて、実施形態における、装置が配置された装置は更に、画像情報を表示する実際の機能に応じて、他のハードウェアを備えることが可能であるが、それは、本願では詳述しない。
【０１０９】
図７は、本願の幾つかの実施形態に係る、画像情報を表示するための装置のモジュールの模式図である。装置は、第１取得ユニット２１０と、第２取得ユニット２２０と、第１判定ユニット２３０と、第２判定ユニットと、表示ユニット２５０を備えている。
【０１１０】
ここで、第１取得ユニット２１０は、端末の回転角度を検出するために構成されているセンサにより報告される回転角度を取得するように構成されており、
第２取得ユニット２２０は、センサに基づいて、端末の回転の回転持続時間を取得するように構成されており、
第１判定ユニット２３０は、報告される回転角度は、予め設定された閾値に到達するかどうかを判定するように構成されており、
第２判定ユニット２４０は、回転持続時間は、予め設定された持続時間よりも短いかどうかを判定するように構成されており、
表示ユニット２５０は、報告される回転角度は、予め設定された閾値に到達するとき、および回転持続時間は、予め設定された持続時間よりも短いときは、画像情報を表示するように構成されている。
【０１１１】
オプションとしての実現方法においては、
第１取得ユニット２１０は、
ユーザが、予め設定された、画像情報が含まれているＡＰＰに首尾よく入ったときは、端末の回転角度を検出するために構成されているセンサにより報告される回転角度を取得するように構成されている第１取得サブユニットを備えている。
【０１１２】
オプションとしての実現方法においては、
第２取得ユニット２２０は、
センサにより検出されるように、端末が回転を開始する第１時間を取得するように構成されている第２取得サブユニットと、
端末の回転角度が、予め設定された閾値に到達する第２時間を取得するように構成されている第３取得サブユニットと、
第１時間を第２時間から引くことによる時間差を、回転持続時間として判定するように構成されている判定サブユニットを備えている。
【０１１３】
オプションとしての実現方法においては、
予め設定された閾値は角度範囲である。
【０１１４】
オプションとしての実現方法においては、
表示ユニット２５０は、
報告される回転角度は、予め設定された閾値に到達するとき、および回転持続時間は、予め設定された持続時間よりも短いときは、距離センサにより検出される、端末と近傍の対象物との間の距離は、予め設定された距離未満であるかどうかを判定するように構成されている第１表示サブユニットと、
距離が、予め設定された距離未満であるときは、画像情報を表示するように構成されている第２表示サブユニットを備えている。
【０１１５】
オプションとしての実現方法においては、
表示ユニット２５０は、
報告される回転角度は、予め設定された閾値に到達するとき、および回転持続時間は、予め設定された持続時間よりも短いときは、端末のユーザの指紋は正しいかどうかを判定するように構成されている第１表示サブユニットと、
端末のユーザの指紋が正しいときは、画像情報を表示するように構成されている第２表示サブユニットを備えている。
【０１１６】
オプションとしての実現方法においては、
装置は更に、
ユーザの指紋が正しくないときは、端末を操作不可ロック状態にするように構成されているロッキングサブユニットを備えている。
【０１１７】
オプションとしての実現方法においては、
ロッキングサブユニットの後に、装置は更に、
端末の位置情報を取得して、位置情報をアップロードするように構成されているアップロードサブユニットを備えている。
【０１１８】
本願の実施形態においては、端末の回転角度は、予め設定された閾値に到達するとき、および回転持続時間は、予め設定された持続時間よりも短いときは、画像情報を、ユーザが更に操作を実行する必要なく、直接表示可能である。そのように、画像情報は、ユーザにより端末を回転するだけで、自動的に表示可能である。ユーザは、画像情報を表示するためにボタンをクリックする必要がないので、操作時間は削減されて、端末が画像情報を迅速に表示することを可能にする。更に、ユーザが、間違ったボタンをクリックすることを防止可能であり、それにより、画像情報の正しい表示を達成可能である。
【０１１９】
上記の方法における、対応するステップの実現プロセスは、上記の装置のユニットの機能と役割の実現プロセスの詳細な記述に対して参照可能であり、それはここでは詳述しない。
【０１２０】
装置実施形態は、方法実施形態に略対応するので、方法実施形態の部分の記述は、装置実施形態の適切な部分に対して参照可能である。上記の装置実施形態は単なる例に過ぎず、ユニットは別個の部分として記述されているユニットは、物理的に分離されていても、いなくてもよい。ユニットとして例示されている部分は、物理的ユニットであっても、なくてもよく、つまり、それらは、１つの場所に置かれてもよく、または、複数のネットワークユニット上で分散されてもよい。本願の解決策の目的は、必要に応じて、幾つかの、またはすべてのモジュールを選択することにより達成可能であり、通常の技量を有する当業者には、創像的な努力なしに理解および実現可能である。
【０１２１】
通常の技量を有する当業者は、記述を考慮し、開示された発明を実践した後では、本願の他の実現方法を思いつくのは容易であろう。本願は、本願の如何なる変形、使用法、または適合的修正を含むことが意図されている。これらすべての変形、使用法、または適合的修正は、本願の一般的な原理を追従でき、本願で開示されていない、この技術における共通の一般的知識または共通の技術手段を含むことができる。記述と実施形態は単なる例に過ぎず、本願の精神の真の範囲は、添付される請求項による。
【０１２２】
本願は、上述し、付随する図面において例示された正確な構造に制限されることはなく、本願は、種々の方法で修正または補正可能であるということを理解すべきである。本願の範囲は、添付される請求項のみによるものとする。
【図１】
2020502622.tif 000003
【図２】
2020502622.tif 000004
【図３】
2020502622.tif 000005
【図４】
2020502622.tif 000006
【図５】
2020502622.tif 000007
【図６】
2020502622.tif 000008
【図７】
2020502622.tif 000009
【国際調査報告】
2020502622.tif 000010
2020502622.tif 000011
2020502622.tif 000012
2020502622.tif 000013